(57)【要約】  本開示の実施例は、ＰＤＳＣＨ時間領域リソース割り当て方法、端末及びコンピュータ読み取り可能な記憶媒体を提供し、前記ＰＤＳＣＨ時間領域リソース割り当て方法は、端末に適用され、端末がＰＤＳＣＨの時間領域制限位置よりも前でない位置から、前記ＰＤＳＣＨのバッファ又は受信を開始することを含み、ＰＤＣＣＨのＳＣＳがＰＤＳＣＨのＳＣＳよりも小さい場合、前記ＰＤＳＣＨの時間領域位置が前記ＰＤＳＣＨの時間領域制限位置よりも前でない。
2021523654.tif 000002
【特許請求の範囲】
【請求項１】
端末に適用されるＰＤＳＣＨ時間領域リソース割り当て方法であって、
前記端末がＰＤＳＣＨの時間領域制限位置よりも前でない位置から、前記ＰＤＳＣＨのバッファ又は受信を開始することを含み、ＰＤＣＣＨのＳＣＳが前記ＰＤＳＣＨのＳＣＳよりも小さい場合、前記ＰＤＳＣＨの時間領域位置が前記ＰＤＳＣＨの時間領域制限位置よりも前でない、ＰＤＳＣＨ時間領域リソース割り当て方法。
【請求項２】
前記ＰＤＳＣＨの時間領域制限位置は、前記ＰＤＣＣＨのＳＣＳの第１の設定値、前記ＰＤＳＣＨのＳＣＳの第２の設定値、前記ＰＤＣＣＨの処理時間、前記ＰＤＣＣＨの時間領域の長さ、前記ＰＤＣＣＨの開始シンボル位置、前記ＰＤＣＣＨの終了シンボル位置及び参照ＯＦＤＭシンボルのうちの１つ以上の因子に関連している、請求項１に記載の方法。
【請求項３】
前記ＰＤＳＣＨの時間領域制限位置と、前記ＰＤＣＣＨのＳＣＳの第１の設定値、前記ＰＤＳＣＨのＳＣＳの第２の設定値、前記ＰＤＣＣＨの処理時間、前記ＰＤＣＣＨの時間領域の長さ、前記ＰＤＣＣＨの開始シンボル位置、前記ＰＤＣＣＨの終了シンボル位置及び参照ＯＦＤＭシンボルのうちの１つ以上の因子との間の関係は、プロトコルによって予め定義されるか、又はネットワーク装置によって設定されるか、又は前記端末によって決定される、請求項２に記載の方法。
【請求項４】
前記ＰＤＳＣＨの時間領域制限位置は、
前記第２の設定値及び前記第１の設定値に基づいて第１の中間値を決定し、
システムにおいて予め設定された時間領域制限位置と前記第１の中間値との対応関係に基づいて、前記第１の中間値に対応する時間領域制限位置を前記ＰＤＳＣＨの時間領域制限位置として決定するという方式で決定される、請求項３に記載の方法。
【請求項５】
前記ＰＤＳＣＨの時間領域制限位置は、
前記第２の設定値及び前記第１の設定値に基づいて第２の中間値を決定し、
前記端末によって報告された時間領域制限位置と前記第２の中間値との対応関係に基づいて、前記第２の中間値に対応する時間領域制限位置を前記ＰＤＳＣＨの時間領域制限位置として決定するという方式で決定される、請求項３に記載の方法。
【請求項６】
前記ＰＤＳＣＨの時間領域制限位置は、
システムにおいて予め設定されたか又は前記端末によって報告された設定値と処理時間との対応関係に基づいて、前記第１の設定値に対応する第１の処理時間を決定し、
前記第１の設定値、前記第２の設定値及び前記第１の処理時間に基づいて、前記ＰＤＳＣＨの時間領域制限位置を決定するという方式で決定される、請求項３に記載の方法。
【請求項７】
前記ＰＤＳＣＨの時間領域制限位置は、
システムにおいて予め設定されたか又は前記端末によって報告された設定値と処理時間との対応関係に基づいて、前記第１の設定値に対応する第２の処理時間を決定し、
前記第１の設定値、前記第２の設定値、前記第２の処理時間及び前記開始シンボル又は終了シンボルの位置に基づいて、前記ＰＤＳＣＨの時間領域制限位置を決定するという方式で決定される、請求項３に記載の方法。
【請求項８】
前記ＰＤＳＣＨの時間領域制限位置は、
システムにおいて予め設定されたか又は前記端末によって報告された設定値と処理時間との対応関係に基づいて、前記第１の設定値に対応する第３の処理時間を決定し、
前記第１の設定値、前記第２の設定値、前記第３の処理時間及び前記ＰＤＣＣＨの時間領域の長さに基づいて、前記ＰＤＳＣＨの時間領域制限位置を決定するという方式で決定される、請求項３に記載の方法。
【請求項９】
前記ＰＤＳＣＨの時間領域制限位置は、システムにおいて予め設定された時間領域制限位置である、請求項１に記載の方法。
【請求項１０】
前記ＰＤＳＣＨの時間領域制限位置は、前記ＰＤＣＣＨのＳＣＳの第１の設定値、前記ＰＤＳＣＨのＳＣＳの第２の設定値、前記ＰＤＣＣＨと各サブ単位時間境界との相対位置に関連し、前記ＰＤＣＣＨが位置する単位時間は、予め設定された数のサブ単位時間を含む、請求項１に記載の方法。
【請求項１１】
ＰＤＳＣＨの時間領域制限位置よりも前でない位置から、前記ＰＤＳＣＨのバッファ又は受信を開始するためのプロセッサを含み、ＰＤＣＣＨのＳＣＳが前記ＰＤＳＣＨのＳＣＳよりも小さい場合、前記ＰＤＳＣＨの時間領域位置が前記ＰＤＳＣＨの時間領域制限位置よりも前でない、ＰＤＳＣＨ時間領域リソース割り当て端末。
【請求項１２】
前記ＰＤＳＣＨの時間領域制限位置は、前記ＰＤＣＣＨのＳＣＳの第１の設定値、前記ＰＤＳＣＨのＳＣＳの第２の設定値、前記ＰＤＣＣＨの処理時間、前記ＰＤＣＣＨの時間領域の長さ、前記ＰＤＣＣＨの開始シンボル位置、前記ＰＤＣＣＨの終了シンボル位置及び参照ＯＦＤＭシンボルのうちの１つ以上の因子に関連している、請求項１１に記載の端末。
【請求項１３】
前記ＰＤＳＣＨの時間領域制限位置と、前記ＰＤＣＣＨのＳＣＳの第１の設定値、前記ＰＤＳＣＨのＳＣＳの第２の設定値、前記ＰＤＣＣＨの処理時間、前記ＰＤＣＣＨの時間領域の長さ、前記ＰＤＣＣＨの開始シンボル位置、前記ＰＤＣＣＨの終了シンボル位置及び参照ＯＦＤＭシンボルのうちの１つ以上の因子との間の関係は、プロトコルによって予め定義されるか、又はネットワーク装置によって設定されるか、又は前記端末によって決定される、請求項１１に記載の端末。
【請求項１４】
前記ＰＤＳＣＨの時間領域制限位置は、
前記第２の設定値及び前記第１の設定値に基づいて第１の中間値を決定し、
システムにおいて予め設定された時間領域制限位置と前記第１の中間値との対応関係に基づいて、前記第１の中間値に対応する時間領域制限位置を前記ＰＤＳＣＨの時間領域制限位置として決定するという方式で決定される、請求項１３に記載の端末。
【請求項１５】
前記ＰＤＳＣＨの時間領域制限位置は、
前記第２の設定値及び前記第１の設定値に基づいて第２の中間値を決定し、
前記端末によって報告された時間領域制限位置と前記第２の中間値との対応関係に基づいて、前記第２の中間値に対応する時間領域制限位置を前記ＰＤＳＣＨの時間領域制限位置として決定するという方式で決定される、請求項１３に記載の端末。
【請求項１６】
前記ＰＤＳＣＨの時間領域制限位置は、
システムにおいて予め設定されたか又は前記端末によって報告された設定値と処理時間との対応関係に基づいて、前記第１の設定値に対応する第１の処理時間を決定し、
前記第１の設定値、前記第２の設定値及び前記第１の処理時間に基づいて、前記ＰＤＳＣＨの時間領域制限位置を決定するという方式で決定される、請求項１３に記載の端末。
【請求項１７】
前記ＰＤＳＣＨの時間領域制限位置は、
システムにおいて予め設定されたか又は前記端末によって報告された設定値と処理時間との対応関係に基づいて、前記第１の設定値に対応する第２の処理時間を決定し、
前記第１の設定値、前記第２の設定値、前記第２の処理時間及び前記開始シンボル位置又は終了シンボル位置に基づいて、前記ＰＤＳＣＨの時間領域制限位置を決定するという方式で決定される、請求項１３に記載の端末。
【請求項１８】
前記ＰＤＳＣＨの時間領域制限位置は、
システムにおいて予め設定されたか又は前記端末によって報告された設定値と処理時間との対応関係に基づいて、前記第１の設定値に対応する第３の処理時間を決定し、
前記第１の設定値、前記第２の設定値、前記第３の処理時間及び前記ＰＤＣＣＨの時間領域の長さに基づいて、前記ＰＤＳＣＨの時間領域制限位置を決定するという方式で決定される、請求項１３に記載の端末。
【請求項１９】
前記ＰＤＳＣＨの時間領域制限位置は、システムにおいて予め設定された時間領域制限位置である、請求項１１に記載の端末。
【請求項２０】
前記ＰＤＳＣＨの時間領域制限位置は、前記ＰＤＣＣＨのＳＣＳの第１の設定値、前記ＰＤＳＣＨのＳＣＳの第２の設定値、前記ＰＤＣＣＨと各サブ単位時間境界との相対位置に関連し、前記ＰＤＣＣＨが位置する単位時間は、予め設定された数のサブ単位時間を含む、請求項１１に記載の端末。
【請求項２１】
プロセッサと、メモリと、前記メモリに記憶され、かつ前記プロセッサで実行可能で、前記プロセッサによって実行されると、請求項１〜１０のいずれかに記載のＰＤＳＣＨ時間領域リソース割り当て方法を実現するコンピュータプログラムとを含む、端末。
【請求項２２】
プロセッサによって実行されると、請求項１〜１０のいずれかに記載のＰＤＳＣＨ時間領域リソース割り当て方法を実現するコンピュータプログラムが記憶されるコンピュータ読み取り可能な記憶媒体。
【発明の詳細な説明】
【技術分野】
【０００１】
関連出願の相互参照
本願は、２０１８年７月１３日に提出された中国特許出願第２０１８１０７７１９４５．１号の優先権を主張するものであり、その全ての内容は参照により本願に取り組みまれるものとする。
【０００２】
本開示は、通信の技術分野に関し、特に、ＰＤＳＣＨ時間領域リソース割り当て方法、端末及びコンピュータ読み取り可能な記憶媒体に関する。
【背景技術】
【０００３】
５ＧＮＲシステムは、ユーザ装置（Ｕｓｅｒ  Ｅｑｕｉｐｍｅｎｔ、ＵＥ）に１つ以上のキャリア（ｃｏｍｐｏｎｅｎｔ  ｃａｒｒｉｅｒ、ＣＣ）又はセルを設定することをサポートしている。ＵＥがシングルキャリアモード又はキャリアアグリゲーション（ｃａｒｒｉｅｒ  ａｇｇｒｅｇａｔｉｏｎ、ＣＡ）でのセルフスケジューリングモードに設定されている場合、ＣＣ又はセル毎に複数の制御リソースセット（ｃｏｎｔｒｏｌ−ｒｅｓｏｕｒｃｅ  ｓｅｔ、ＣＯＲＥＳＥＴ）と、共通サーチスペース（ｃｏｍｍｏｎ  ｓｅａｒｃｈ  ｓｐａｃｅ、ＣＳＳ）及びＵＥ特有のサーチスペース（ＵＥ−ｓｐｅｃｉｆｉｃ  ｓｅａｒｃｈ  ｓｐａｃｅ、ＵＳＳ）を含む複数のサーチスペースセットとが設定されてよい。ネットワークは、各サーチスペースセットに対してブラインド検出数を柔軟に設定し、ＣＯＲＥＳＥＴとサーチスペースセットとは柔軟に関連付けることができる。
【０００４】
あるセルのチャネル品質が十分ではないか、又はチャネルブロッキング確率が高い場合、ネットワークは、ＵＥに対してクロスキャリアスケジューリングを行い、即ち他のチャネル品質のよいセル（例えば、プライマリセル）に制御チャネルを設定して、他のセル（例えば、セカンダリセル）のデータをクロスキャリアスケジューリングすることができる。スケジューリングセルとスケジューリングされるセルのサブキャリア帯域幅（ｓｕｂ−ｃａｒｒｉｅｒ  ｓｐａｃｉｎｇ、ＳＣＳ）は、同じであっても異なっていてもよい。スケジューリングセルは、セルフスケジューリングモードであってもよく、この場合、スケジューリングセルは、自分のみをスケジューリングする。スケジューリングセルがクロスキャリアスケジューリングに設定される場合、スケジューリングセルは、自分以外の１つ以上のスケジューリングされるセルをスケジューリングしてもよい。スケジューリングされるセルには、自分の物理ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）がなく、スケジューリング操作はスケジューリングセルによってのみ実行することができる。
【０００５】
ＵＥは、ＰＤＣＣＨをモニタリングしてダウンリンク制御情報（ｄｏｗｎｌｉｎｋ  ｃｏｎｔｒｏｌ  ｉｎｆｏｒｍａｔｉｏｎ、ＤＣＩ）を受信し、ＤＣＩの指示に従って、基地局がスケジューリングする物理層ダウンリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）を復調する。ＤＣＩは、ＰＤＳＣＨのリソース割り当て、例えば、ＰＤＳＣＨの位置するセル又は帯域幅部分（ｂａｎｄｗｉｄｔｈ  ｐａｒｔ、ＢＷＰ）、周波数領域リソース及び時間領域リソースなどを柔軟に指示することができる。時間領域リソースは、ＰＤＳＣＨのスロットオフセットであるｓｌｏｔ  ｏｆｆｓｅｔ、開始ＯＦＤＭシンボル及びシンボル長などを指示することができる。ＰＤＳＣＨの開始ＯＦＤＭシンボルはＰＤＣＣＨの開始ＯＦＤＭシンボルよりも前ではならない。
【０００６】
ＰＤＳＣＨの開始シンボルは、ＰＤＣＣＨの開始ＯＦＤＭシンボルと同じである可能性があるため、ＵＥは、ＰＤＣＣＨを受信してブラインド検出するとともに、スケジューリングされるセルのＢＷＰデータ全体をバッファしておかなければならない。セルフスケジューリング又はクロスキャリアスケジューリングを行い、かつスケジューリングセルのＳＣＳ（即ち、ＰＤＣＣＨのＳＣＳ）がスケジューリングされるセルのＳＣＳ（ＰＤＳＣＨのＳＣＳ）と同じである場合、ＵＥは、スケジューリングされるセルのＢＷＰデータ全体を、ＰＤＣＣＨの復調が完了するまでバッファする必要がある。しかし、ＰＤＣＣＨのＳＣＳがＰＤＳＣＨのＳＣＳよりも小さい場合においてＵＥがＰＤＣＣＨを受信する時間長は、ＰＤＣＣＨのＳＣＳがＰＤＳＣＨのＳＣＳよりも小さい場合においてＵＥがＰＤＣＣＨを受信する時間長よりもはるかに長く、それに応じてＵＥがデータをバッファする時間長は長くなり、ＵＥがバッファするデータ量は同じＳＣＳの場合と比較して増大し、ＵＥのデータバッファ負荷は増大する。
【発明の概要】
【発明が解決しようとする課題】
【０００７】
ＵＥのデータバッファ負荷を、ＰＤＣＣＨのＳＣＳがＰＤＳＣＨのＳＣＳよりも小さい場合に、どのように低減できるかは、当業者にとって、現在緊急に解決する必要がある技術的課題であることが分かる。
【課題を解決するための手段】
【０００８】
本開示の実施例は、関連技術において、ＰＤＣＣＨのＳＣＳがＰＤＳＣＨのＳＣＳよりも小さい場合、ＵＥのバッファ負荷が増大するという問題を解決するためのＰＤＳＣＨ時間領域リソース割り当て方法、端末及びコンピュータ読み取り可能な記憶媒体を提供する。
【０００９】
上記技術的課題を解決するために、本開示は、以下のように実現される。
【００１０】
第１の態様では、本開示の実施例に係る端末に適用されるＰＤＳＣＨ時間領域リソース割り当て方法は、前記端末がＰＤＳＣＨの時間領域制限位置よりも前でない時間領域位置から、前記ＰＤＳＣＨのバッファ又は受信を開始することを含み、ＰＤＣＣＨのＳＣＳが前記ＰＤＳＣＨのＳＣＳよりも小さい場合、前記ＰＤＳＣＨの時間領域位置が前記ＰＤＳＣＨの時間領域制限位置よりも前でない。
【００１１】
第２の態様では、本開示の実施例に係るＰＤＳＣＨ時間領域リソース割り当て端末は、ＰＤＳＣＨの時間領域制限位置よりも前でない位置から、前記ＰＤＳＣＨのバッファ又は受信を開始するプロセッサを含み、前記ＰＤＳＣＨの時間領域位置が前記ＰＤＳＣＨの時間領域制限位置よりも前でない。
【００１２】
第３の態様では、本開示の実施例に係る端末は、メモリと、プロセッサと、前記メモリに記憶され、かつ前記プロセッサで実行可能で、前記プロセッサによって実行されると、前記ＰＤＳＣＨ時間領域リソース割り当て方法を実現するコンピュータプログラムとを含む。
【００１３】
第４の態様では、本開示の実施例に係るコンピュータ読み取り可能な記憶媒体は、プロセッサによって実行されると、前記ＰＤＳＣＨ時間領域リソース割り当て方法を実現するコンピュータプログラムを含む。
【００１４】
本開示の実施例に係る技術手段では、端末は、ＰＤＳＣＨの時間領域制限位置よりも前でない位置から、ＰＤＳＣＨのバッファ又は受信を開始し、ＰＤＣＣＨのＳＣＳがＰＤＳＣＨのＳＣＳよりも小さい場合、ＰＤＳＣＨの時間領域位置がＰＤＳＣＨの時間領域制限位置よりも前でなく、ＰＤＣＣＨの受信の開始時からデータバッファを開始するという関連技術と比較して、データバッファ量を低減し、エネルギー消費を低減することができる。
【００１５】
本開示の実施例の技術手段をより明確に説明するために、以下、本開示の実施例の説明に必要な図面を簡単に説明し、明らかに、以下に説明される図面は、本開示のいくつかの実施例に過ぎず、当業者であれば、創造的な労働をしない前提で、これらの図面に基づいて他の図面を得ることができる。
【図面の簡単な説明】
【００１６】
【図１】本開示の実施例に係るＰＤＳＣＨ時間領域リソース割り当て方法のフローチャートである。
【図２】本開示の実施例に係るＰＤＳＣＨ時間領域リソース割り当て方法のフローチャートである。
【図３】本開示の実施例に係るＰＤＳＣＨ時間領域リソース割り当て方法のフローチャートである。
【図４】本開示の実施例に係るＰＤＳＣＨ時間領域リソース割り当て方法のフローチャートである。
【図５】本開示の実施例に係るＰＤＳＣＨ時間領域リソース割り当て方法のフローチャートである。
【図６】本開示の実施例に係るＰＤＳＣＨ時間領域リソース割り当て方法のフローチャートである。
【図７】本開示の実施例に係るＰＤＳＣＨ時間領域リソース割り当て方法のフローチャートである。
【図８】本開示の実施例に係るＰＤＳＣＨ時間領域リソース割り当て方法のフローチャートである。
【図９】本開示の実施例に係るＰＤＳＣＨ時間領域リソース割り当て端末の構造概略図である。
【図１０】本開示の実施例に係る端末の構造概略図である。
【発明を実施するための形態】
【００１７】
以下、本開示の実施例における図面を参照しながら、本開示の実施例における技術手段を明確かつ完全的に説明する。明らかに、説明される実施例は、本開示の実施例の一部であり、全てではない。本開示における実施例に基づいて、当業者が創造的な労働をしない前提で得られる他の全ての実施例は、いずれも本開示の保護範囲に属するものである。
【００１８】
理解されるように、本明細書の実施例における技術手段は、例えば、モバイル通信用グローバル（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）（登録商標）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）、汎用移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）又はワールドワイド・インターオペラビリティ・フォー・マイクロウェーブ・アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）通信システム、５Ｇシステム又は新規無線（Ｎｅｗ  Ｒａｄｉｏ、ＮＲ）システム又はアドバンスド通信システムのような様々な通信システムに適用することができる。
【００１９】
本明細書の実施例では、端末装置は、移動局（Ｍｏｂｉｌｅ  Ｓｔａｔｉｏｎ、ＭＳ）、移動端末（Ｍｏｂｉｌｅ  Ｔｅｒｍｉｎａｌ）、携帯電話（Ｍｏｂｉｌｅ  Ｔｅｌｅｐｈｏｎｅ）、ユーザ装置（Ｕｓｅｒ  Ｅｑｕｉｐｍｅｎｔ、ＵＥ）、ハンドセット（ｈａｎｄｓｅｔ）及び携帯機器（ｐｏｒｔａｂｌｅ  ｅｑｕｉｐｍｅｎｔ）、車両（ｖｅｈｉｃｌｅ）などを含むことができるが、それらに限定されず、該端末装置は、無線アクセスネットワーク（Ｒａｄｉｏ  Ａｃｃｅｓｓ  Ｎｅｔｗｏｒｋ、ＲＡＮ）により１つ以上のコアネットワークと通信することができ、例えば、端末装置は、携帯電話（又は「セル」電話と呼ばれる）、無線通信機能を有するコンピュータなどであってもよく、携帯型、ポケット式、手持ち式、コンピュータ内蔵又は車載の移動装置であってもよい。
【００２０】
本明細書の実施例では、ネットワーク装置は、無線アクセスネットワークに配置されて端末装置に無線通信機能を提供するための装置である。前記ネットワーク装置は、基地局であってもよく、前記基地局は、様々な形態のマクロ基地局、マイクロ基地局、中継局、アクセスポイントなどを含んでよい。異なる無線アクセス技術を用いるシステムでは、基地局機能を有する装置の名称は、異なる可能性がある。例えば、ＬＴＥネットワークでは、進化型ノードＢ（Ｅｖｏｌｖｅｄ  ＮｏｄｅＢ、ｅＮＢ又はｅＮｏｄｅＢ）と呼ばれ、第３世代（３ｒｄ  Ｇｅｎｅｒａｔｉｏｎ、３Ｇ）のネットワークでは、ノードＢ（Ｎｏｄｅ  Ｂ）と呼ばれ、又はアドバンスド通信システムではネットワーク装置などであり、しかしながら、用語は限定するものではない。
【００２１】
図１は、本開示のいくつかの実施例に係るＰＤＳＣＨ時間領域リソース割り当て方法のステップフローチャートを示す。
【００２２】
本開示の実施例に係るＰＤＳＣＨ時間領域リソース割り当て方法は、以下のステップ１０１を含む。
【００２３】
ステップ１０１では、端末は、ＰＤＳＣＨの時間領域制限位置よりも前でない位置から、ＰＤＳＣＨのバッファ又は受信を開始する。
【００２４】
ＰＤＣＣＨのＳＣＳがＰＤＳＣＨのＳＣＳよりも小さい場合、ＰＤＳＣＨの時間領域位置は、ＰＤＳＣＨの時間領域制限位置よりも前でない。ＰＤＳＣＨの時間領域位置がＰＤＳＣＨの時間領域制限位置よりも前でないことは、ＰＤＳＣＨの時間領域位置がＰＤＳＣＨの時間領域制限位置と同じであるか又はそれよりも後であることを指す。
【００２５】
ＰＤＳＣＨの時間領域位置は、ＰＤＳＣＨのスロットオフセット、ＰＤＳＣＨの開始ＯＦＤＭシンボルのうちの１つ以上を含み、それに対応して、時間領域制限位置は、スロットオフセットへの制限及び／又は開始ＯＦＤＭシンボルの位置への制限である。
【００２６】
ＰＤＳＣＨの時間領域制限位置は、ＰＤＣＣＨのＳＣＳの第１の設定値、ＰＤＳＣＨのＳＣＳの第２の設定値、ＰＤＣＣＨの処理時間、ＰＤＣＣＨの時間領域の長さ、ＰＤＣＣＨの開始シンボル位置、ＰＤＣＣＨの終了シンボル位置及び参照ＯＦＤＭシンボルのうちの１つ以上の因子に関連してよい。ＰＤＳＣＨの時間領域制限位置と上記１つ以上の因子との間の関係は、プロトコルによって予め定義されるか、又はネットワーク装置によって設定されるか、又は端末によって決定される。ＰＤＳＣＨの時間領域制限位置と上記１つ以上の因子との具体的な相関関係について、後続の実施例の関連説明を参照することができる。ＰＤＳＣＨの時間領域制限位置を決定する具体的な方式について、当業者が実際のニーズに応じて設定することができ、ＰＤＳＣＨの時間領域位置がＰＤＳＣＨの時間領域制限位置よりも前でないことを保証すればよい。
【００２７】
本開示の実施例に係るＰＤＳＣＨ時間領域リソース割り当て方法は、ユーザ装置ＵＥなどの端末に適用される。
【００２８】
例えば、時間領域制限位置が５であれば、５番目の単位位置から、スケジューリングされるセルのＢＷＰデータのバッファを開始してもよく、４番目、３番目又は２番目の単位位置から、スケジューリングされるセルのＢＷＰデータのバッファを開始してもよく、本開示の実施例では、ＰＤＳＣＨの時間領域位置割り当てを制限することにより、端末が余計なデータをバッファすることを回避することができる。
【００２９】
本開示の実施例に係るＰＤＳＣＨ時間領域リソース割り当て方法では、端末は、ＰＤＳＣＨの時間領域制限位置よりも前でない位置から、ＰＤＳＣＨのバッファ又は受信を開始し、ＰＤＣＣＨのＳＣＳがＰＤＳＣＨのＳＣＳよりも小さい場合、ＰＤＳＣＨの時間領域位置がＰＤＳＣＨの時間領域制限位置よりも前でなく、ＰＤＣＣＨの受信の開始時からデータバッファを開始するという関連技術と比較して、データバッファ量を低減し、エネルギー消費を低減することができる。
【００３０】
図２は、本開示のいくつかの実施例に係るＰＤＳＣＨ時間領域リソース割り当て方法のステップフローチャートを示す。
【００３１】
本開示の実施例におけるＰＤＳＣＨ時間領域リソース割り当て方法は、以下のステップ２０１〜２０３を含む。
【００３２】
ステップ２０１では、ＰＤＳＣＨのＳＣＳの第２の設定値及びＰＤＣＣＨのＳＣＳの第１の設定値に基づいて第１の中間値を決定する。
【００３３】
ＳＣＳの設定値はμで表され、設定値が異なれば、それに対応するΔｆであるサブキャリア周波数の間隔は異なる。
【００３４】
具体的には、ＳＣＳの設定値とΔｆとの両者の対応関係は表１に示すとおりである。
【００３５】
【表１】
2021523654.tif 000003
【００３６】
ネットワーク装置は、ＲＲＣ（Ｒａｄｉｏ  Ｒｅｓｏｕｒｃｅ  Ｃｏｎｔｒｏｌ、無線リソース制御）により端末に２つのセルＡとＢを設定し、Ａはプライマリセル、即ちスケジューリングセルであり、Ｂはセカンダリセル、即ちスケジューリングされるセルであり、ＡはＢをクロスキャリアスケジューリングする。ネットワーク側には、セルＡのＢＷＰ上のＰＤＣＣＨが設定されている。ＡのＳＣＳはμＰＤＣＣＨ＝０（即ち１５ｋＨｚ）であり、ＢのＳＣＳはμＰＤＳＣＨ＝２（即ち６０ｋＨｚ）である。
【００３７】
μＰＤＣＣＨは第１の設定値であり、μＰＤＳＣＨは第２の設定値である。
【００３８】
第１の中間値は、第１の設定値及び第２の設定値に基づいて第１の所定ルールに従って算出された値である。第１の中間値は、第２の設定値と第１の設定値との差分であってもよく、第１の設定値と第２の設定値との差分の所定倍数であってもよく、第１の設定値と第２の設定値との加重平均値などであってもよく、第１の所定ルールについて、当業者が実際のニーズに応じて設定することができ、本開示の実施例では、これを具体的に限定しない。
【００３９】
本開示の実施例では、第１の中間値が第２の設定値と第１の設定値との差分である場合を例として説明する。本開示の実施例では、第２の設定値が２で、第１の設定値が０であるため、ＰＤＳＣＨのＳＣＳの第２の設定値とＰＤＣＣＨのＳＣＳの第１の設定値との差分は２−０＝２である。
【００４０】
ステップ２０２では、システムにおいて予め設定された時間領域制限位置と第１の中間値との対応関係に基づいて、第１の中間値に対応する時間領域制限位置をＰＤＳＣＨの時間領域制限位置として決定する。
【００４１】
本開示の実施例では、時間領域制限位置がスロットオフセットＫ０への制限である場合を例として説明する。
【００４２】
システムにおいて予め設定された時間領域制限位置と第１の中間値との対応関係について、具体的には当業者が実際のニューズに応じて設定することができる。第１の設定値が複数あってもよく、第２の設定値も複数あってもよく、第１の設定値と第２の設定値との第１の中間値も複数であってもよいため、システムは、異なる第１の中間値と時間領域制限位置との対応関係を予め設定してもよい。例示的なものとして表２に示すとおりである。
【００４３】
【表２】
2021523654.tif 000004
【００４４】
ステップ２０１で決定された第１の差分が２であるため、それに対応する時間領域制限位置Ｌは２である。
【００４５】
本開示の実施例では、第１の設定値、第２の設定値に基づいてＰＤＳＣＨの時間領域制限位置を決定する場合を例として説明する。具体的な実現過程では、ＰＤＳＣＨの時間領域制限位置は、システムにおいて予め設定された時間領域制限位置であってよく、即ちＬはシステムにおいて予め設定された固定定数であり、Ｋ０≧Ｌである。
【００４６】
システムにおいて予め設定された時間領域制限位置の具体的な値について、当業者が実際のニーズに応じて設定し、例えば、１、２又は３などに設定することができ、本開示の実施例では、これを具体的に限定しない。
【００４７】
ステップ２０３では、端末は、ＰＤＳＣＨの時間領域制限位置よりも前でない位置から、ＰＤＳＣＨのバッファ又は受信を開始する。
【００４８】
ＰＤＣＣＨのＳＣＳがＰＤＳＣＨのＳＣＳよりも小さい場合、ＰＤＳＣＨの時間領域位置は、ＰＤＳＣＨの時間領域制限位置よりも前でない。
【００４９】
ＰＤＳＣＨの時間領域制限位置を決定した後、端末は、ＰＤＣＣＨをブラインド検出する時に、時間領域制限位置が指示する時間即ちＫ０＝Ｌからのみ、ＤＣＩを復調するまでデータバッファを行い、ＤＣＩが実際に指示する時間領域位置Ｋ０に基づいて、ＰＤＳＣＨを受信することができる。
【００５０】
本開示の実施例に係るＰＤＳＣＨ時間領域リソース割り当て方法では、端末は、ＰＤＳＣＨの時間領域制限位置よりも前でない位置から、ＰＤＳＣＨのバッファ又は受信を開始し、ＰＤＣＣＨのＳＣＳがＰＤＳＣＨのＳＣＳよりも小さい場合、ＰＤＳＣＨの時間領域位置がＰＤＳＣＨの時間領域制限位置よりも前でなく、ＰＤＣＣＨの受信の開始時からデータバッファを開始するという関連技術と比較して、データバッファ量を低減し、エネルギー消費を低減することができる。
【００５１】
図３は、本開示のいくつかの実施例に係るＰＤＳＣＨ時間領域リソース割り当て方法のステップフローチャートを示す。
【００５２】
本開示の実施例におけるＰＤＳＣＨ時間領域リソース割り当て方法は、以下のステップ３０１〜３０３を含む。
【００５３】
ステップ３０１では、ＰＤＳＣＨのＳＣＳの第２の設定値及びＰＤＣＣＨのＳＣＳの第１の設定値に基づいて第２の中間値を決定する。
【００５４】
ネットワーク装置は、無線リソース制御（Ｒａｄｉｏ  Ｒｅｓｏｕｒｃｅ  Ｃｏｎｔｒｏｌ、ＲＲＣ）により端末に２つのセルＡとＢを設定し、Ａはプライマリセルであるスケジューリングセルであり、Ｂはセカンダリセルであるスケジューリングされるセルであり、ＡはＢをクロスキャリアスケジューリングする。ネットワーク側には、セルＡのＢＷＰ上のＰＤＣＣＨが設定されている。ＡのＳＣＳはμＰＤＣＣＨ＝０（即ち１５ｋＨｚ）であり、ＢのＳＣＳはμＰＤＳＣＨ＝２（即ち６０ｋＨｚ）である。
【００５５】
μＰＤＣＣＨは第１の設定値であり、μＰＤＳＣＨは第２の設定値である。第２の中間値は、第１の設定値及び第２の設定値に基づいて第２の所定ルールに従って算出された値である。第２の中間値は、第２の設定値と第１の設定値との差分であってもよく、第１の設定値と第２の設定値との差分の所定倍数であってもよく、第１の設定値と第２の設定値との加重平均値などであってもよく、第１の所定ルールについて、当業者が実際のニーズに応じて設定することができ、本開示の実施例では、これを具体的に限定しない。
【００５６】
本開示の実施例では、第２の中間値が第２の設定値と第１の設定値との差分である場合を例として説明する。本開示の実施例では、第２の設定値が２で、第１の設定値が０であるため、第２の設定値と第１の設定値との差分は２−０＝２であり、即ち第２の中間値は２である。
【００５７】
ステップ３０２では、端末によって報告された時間領域制限位置と第２の中間値との対応関係に基づいて、前記第２の中間値に対応する時間領域制限位置をＰＤＳＣＨの時間領域制限位置として決定する。
【００５８】
本開示の実施例では、依然として時間領域制限位置がスロットオフセットＫ０への制限である場合を例として説明する。Ｋ０≧Ｌは即ち時間領域制限位置である。
【００５９】
時間領域制限位置と第２の中間値との対応関係は、端末によって報告されてもよいが、第１の設定値が複数あってもよく、第２の設定値も複数あってもよく、第１の設定値と第２の設定値との第２の中間値も複数であってもよいため、端末は、異なる第２の中間値と時間領域制限位置との対応関係を報告してもよい。表３では、端末によって報告された時間領域制限位置と第２の中間値との一組の対応関係が例示的に示される。
【００６０】
【表３】
2021523654.tif 000005
【００６１】
ステップ３０１で決定された第２の中間値が２であるため、表３から分かるように、それに対応する時間領域制限位置Ｌは２である。
【００６２】
具体的な実現過程では、Ｌは端末によって報告されてもよく、端末は直接的又は間接的な方式で、そのサポートする時間領域制限位置Ｌをネットワークに通知する。
【００６３】
ステップ３０３では、端末は、ＰＤＳＣＨの時間領域制限位置よりも前でない位置から、ＰＤＳＣＨのバッファ又は受信を開始する。
【００６４】
ＰＤＣＣＨのＳＣＳがＰＤＳＣＨのＳＣＳよりも小さい場合、ＰＤＳＣＨの時間領域位置は、ＰＤＳＣＨの時間領域制限位置よりも前でない。
【００６５】
端末は、ＰＤＣＣＨをブラインド検出する時に、時間領域制限位置が指示する即ちＫ０＝Ｌからのみ、ＤＣＩを復調するまでデータバッファを行い、ＤＣＩが実際に指示する時間領域位置Ｋ０に基づいて、ＰＤＳＣＨを受信することができる。
【００６６】
本開示の実施例に係るＰＤＳＣＨ時間領域リソース割り当て方法では、端末は、ＰＤＳＣＨの時間領域制限位置よりも前でない位置から、ＰＤＳＣＨのバッファ又は受信を開始し、ＰＤＣＣＨのＳＣＳがＰＤＳＣＨのＳＣＳよりも小さい場合、ＰＤＳＣＨの時間領域位置がＰＤＳＣＨの時間領域制限位置よりも前でなく、ＰＤＣＣＨの受信の開始時からデータバッファを開始するという関連技術と比較して、データバッファ量を低減し、エネルギー消費を低減することができる。
【００６７】
図４は、本開示のいくつかの実施例に係るＰＤＳＣＨ時間領域リソース割り当て方法のステップフローチャートを示す。
【００６８】
本開示の実施例におけるＰＤＳＣＨ時間領域リソース割り当て方法は、以下のステップ４０１〜４０３を含む。
【００６９】
ステップ４０１では、システムにおいて予め設定されたか又は端末によって報告された設定値と処理時間との対応関係に基づいて、第１の設定値に対応する第１の処理時間を決定する。
【００７０】
設定値と処理時間との対応関係は、システムによって予め設定されてもよく、端末によって報告されてもよい。
【００７１】
ネットワーク装置は、ＲＲＣ（Ｒａｄｉｏ  Ｒｅｓｏｕｒｃｅ  Ｃｏｎｔｒｏｌ、無線リソース制御）により端末に２つのセルＡとＢを設定し、Ａはプライマリセル、即ちスケジューリングセルであり、Ｂはセカンダリセル、即ちスケジューリングされるセルであり、ＡはＢをクロスキャリアスケジューリングする。ネットワーク側には、セルＡのＢＷＰ上のＰＤＣＣＨが設定されている。ＡのＳＣＳはμＰＤＣＣＨ＝０（即ち１５ｋＨｚ）であり、ＢのＳＣＳはμＰＤＳＣＨ＝２（即ち６０ｋＨｚ）である。
【００７２】
μＰＤＣＣＨはＰＤＣＣＨのＳＣＳの第１の設定値であり、μＰＤＳＣＨはＰＤＳＣＨのＳＣＳの第２の設定値であり、第１の設定値は０であり、第２の設定値は２である。
【００７３】
本開示の実施例では、時間領域制限位置がスロットオフセットＫ０への制限である場合を例として説明する。
【００７４】
表４では、端末によって報告された設定値と処理時間との一組の対応関係が例示的に示される。
【００７５】
【表４】
2021523654.tif 000006
【００７６】
ステップ４０２では、第１の設定値、第２の設定値及び第１の処理時間に基づいて、ＰＤＳＣＨの時間領域制限位置を決定する。
【００７７】
具体的には、ＰＤＳＣＨの時間領域制限位置は、式１によって決定することができる。
【００７８】
【数１】
2021523654.tif 000007
【００７９】
ここで、式１におけるＭは時間領域制限位置であり、Ｋ０≧Ｍであり、第１の設定値、第２の設定値及び第１の処理時間の値を式１に代入すると、Ｍの値を算出することができる。
【００８０】
ステップ４０３では、端末は、ＰＤＳＣＨの時間領域制限位置よりも前でない位置から、ＰＤＳＣＨのバッファ又は受信を開始する。
【００８１】
ＰＤＣＣＨのＳＣＳがＰＤＳＣＨのＳＣＳよりも小さい場合、ＰＤＳＣＨの時間領域位置は、ＰＤＳＣＨの時間領域制限位置よりも前でない。
【００８２】
ＰＤＳＣＨの時間領域制限位置を決定した後、端末は、ＰＤＣＣＨをブラインド検出する時に、時間領域制限位置が指示する時間即ちＫ０＝Ｍからのみ、ＤＣＩを復調するまでデータバッファを行い、ＤＣＩが実際に指示する時間領域位置Ｋ０に基づいて、ＰＤＳＣＨを受信することができる。
【００８３】
本開示の実施例に係るＰＤＳＣＨ時間領域リソース割り当て方法では、端末は、ＰＤＳＣＨの時間領域制限位置よりも前でない位置から、ＰＤＳＣＨのバッファ又は受信を開始し、ＰＤＣＣＨのＳＣＳがＰＤＳＣＨのＳＣＳよりも小さい場合、ＰＤＳＣＨの時間領域位置がＰＤＳＣＨの時間領域制限位置よりも前でなく、ＰＤＣＣＨの受信の開始時からデータバッファを開始するという関連技術と比較して、データバッファ量を低減し、エネルギー消費を低減することができる。
【００８４】
図５は、本開示のいくつかの実施例に係るＰＤＳＣＨ時間領域リソース割り当て方法のステップフローチャートを示す。
【００８５】
本開示の実施例におけるＰＤＳＣＨ時間領域リソース割り当て方法は、以下のステップ５０１〜５０５を含む。
【００８６】
ステップ５０１では、ＰＤＣＣＨのＳＣＳの第１の設定値とＰＤＳＣＨのＳＣＳの第２の設定値をそれぞれ決定する。
【００８７】
ネットワーク装置は、無線リソース制御（Ｒａｄｉｏ  Ｒｅｓｏｕｒｃｅ  Ｃｏｎｔｒｏｌ、ＲＲＣ）により端末に２つのセルＡとＢを設定し、Ａはプライマリセル、即ちスケジューリングセルであり、Ｂはセカンダリセル、即ちスケジューリングされるセルであり、ＡはＢをクロスキャリアスケジューリングする。ネットワーク側には、セルＡのＢＷＰ上のＰＤＣＣＨが設定されている。ＡのＳＣＳはμＰＤＣＣＨ＝０（即ち１５ｋＨｚ）であり、ＢのＳＣＳはμＰＤＳＣＨ＝２（即ち６０ｋＨｚ）である。
【００８８】
μＰＤＣＣＨは第１の設定値であり、μＰＤＳＣＨは第２の設定値であり、第１の設定値は０であり、第２の設定値は２である。
【００８９】
ステップ５０２では、ＰＤＣＣＨの開始シンボル位置を決定する。
【００９０】
本開示の実施例では、時間領域制限位置がスロットオフセットＫ０への制限である場合を例として説明する。
【００９１】
ＰＤＣＣＨは、時間領域において各サブフレームの１つ、２つ又は３つのＯＦＤＭシンボルを占有し、本ステップでは、ＰＤＣＣＨが占有する開始シンボル位置を決定し、開始シンボル位置はＲで表すことができ、本開示の実施例では、Ｒ＝３を例として説明する。
【００９２】
ステップ５０３では、システムにおいて予め設定されたか又は端末によって報告された設定値と処理時間との対応関係に基づいて、第１の設定値に対応する第２の処理時間を決定する。
【００９３】
設定値と処理時間との対応関係は、システムにおいて予め設定されてもよく、端末によって報告されてもよい。
【００９４】
表５では、端末によって報告された設定値と処理時間との一組の対応関係が例示的に示される。
【００９５】
【表５】
2021523654.tif 000008
【００９６】
ステップ５０４では、第１の設定値、第２の設定値、第２の処理時間及び開始シンボル位置に基づいて、ＰＤＳＣＨの時間領域制限位置を決定する。
【００９７】
具体的には、ＰＤＳＣＨの時間領域制限位置は、式２によって決定することができる。
【００９８】
【数２】
2021523654.tif 000009
【００９９】
ここで、式２におけるＭは時間領域制限位置であり、Ｋ０≧Ｍであり、第１の設定値、第２の設定値、ＰＤＣＣＨの開始シンボル位置及び第２の処理時間を式２に代入すると、Ｍの値を得ることができる。
【０１００】
具体的な実現過程では、ＰＤＣＣＨの終了シンボル位置を決定し、第１の設定値、第２の設定値、第２の処理時間及び終了シンボル位置に基づいて、ＰＤＳＣＨの時間領域制限位置を決定してもよい。
【０１０１】
ステップ５０５では、端末は、ＰＤＳＣＨの時間領域制限位置よりも前でない位置から、ＰＤＳＣＨのバッファ又は受信を開始する。
【０１０２】
ＰＤＣＣＨのＳＣＳがＰＤＳＣＨのＳＣＳよりも小さい場合、ＰＤＳＣＨの時間領域位置は、ＰＤＳＣＨの時間領域制限位置よりも前でない。
【０１０３】
ＰＤＳＣＨの時間領域制限位置を決定した後、端末は、ＰＤＣＣＨをブラインド検出する時に、時間領域制限位置が指示する時間即ちＫ０＝Ｍからのみ、ＤＣＩを復調するまでデータバッファを行い、ＤＣＩが実際に指示する時間領域位置Ｋ０に基づいて、ＰＤＳＣＨを受信することができる。
【０１０４】
本開示の実施例に係るＰＤＳＣＨ時間領域リソース割り当て方法では、端末は、ＰＤＳＣＨの時間領域制限位置よりも前でない位置から、ＰＤＳＣＨのバッファ又は受信を開始し、ＰＤＣＣＨのＳＣＳがＰＤＳＣＨのＳＣＳよりも小さい場合、ＰＤＳＣＨの時間領域位置がＰＤＳＣＨの時間領域制限位置よりも前でなく、ＰＤＣＣＨの受信の開始時からデータバッファを開始するという関連技術と比較して、データバッファ量を低減し、エネルギー消費を低減することができる。
【０１０５】
図６は、本開示のいくつかの実施例に係るＰＤＳＣＨ時間領域リソース割り当て方法のステップフローチャートを示す。
【０１０６】
本開示の実施例では、ＰＤＣＣＨのＳＣＳの第１の設定値、ＰＤＳＣＨのＳＣＳの第２の設定値、ＰＤＣＣＨの時間領域の長さに基づいてＰＤＳＣＨの時間領域制限位置を決定する場合を例として説明する。本開示の実施例におけるＰＤＳＣＨ時間領域リソース割り当て方法は、以下のステップ６０１〜６０５を含む。
【０１０７】
ステップ６０１では、ＰＤＣＣＨのＳＣＳの第１の設定値とＰＤＳＣＨのＳＣＳの第２の設定値をそれぞれ決定する。
【０１０８】
ネットワーク装置は、無線リソース制御（Ｒａｄｉｏ  Ｒｅｓｏｕｒｃｅ  Ｃｏｎｔｒｏｌ、ＲＲＣ）により端末に２つのセルＡとＢを設定し、Ａはプライマリセル、即ちスケジューリングセルであり、Ｂはセカンダリセル、即ちスケジューリングされるセルであり、ＡはＢをクロスキャリアスケジューリングする。ネットワーク側には、セルＡのＢＷＰ上のＰＤＣＣＨが設定されている。ＡのＳＣＳはμＰＤＣＣＨ＝０（即ち１５ｋＨｚ）であり、ＢのＳＣＳはμＰＤＳＣＨ＝２（即ち６０ｋＨｚ）である。
【０１０９】
μＰＤＣＣＨは第１の設定値であり、μＰＤＳＣＨは第２の設定値であり、第１の設定値は０であり、第２の設定値は２である。
【０１１０】
ステップ６０２では、ＰＤＣＣＨの時間領域の長さを決定する。
【０１１１】
本開示の実施例では、ＰＤＣＣＨの時間領域の長さＤが３つのＯＦＤＭシンボル、即ちＤ＝３である場合を例として説明する。
【０１１２】
ステップ６０３では、システムにおいて予め設定されたか又は端末によって報告された設定値と処理時間との対応関係に基づいて、第１の設定値に対応する第３の処理時間を決定する。
【０１１３】
設定値と処理時間との対応関係は、システムにおいて予め設定されてもよく、端末によって報告されてもよい。
【０１１４】
表６では、端末によって報告された設定値と処理時間との一組の対応関係が例示的に示される。
【０１１５】
【表６】
2021523654.tif 000010
【０１１６】
ステップ６０４では、第１の設定値、第２の設定値、第３の処理時間及び時間領域の長さに基づいて、ＰＤＳＣＨの時間領域制限位置を決定する。
【０１１７】
本開示の実施例では、時間領域制限位置がスロットオフセットＫ０への制限である場合を例として説明する。
【０１１８】
具体的には、ＰＤＳＣＨの時間領域制限位置は、式３によって決定することができる。
【０１１９】
【数３】
2021523654.tif 000011
【０１２０】
ここで、式３におけるＭは時間領域制限位置であり、Ｋ０≧Ｍであり、第１の設定値、第２の設定値、ステップ６０２で決定されたＤ及びステップ６０３で決定されたＳを式３に代入すると、Ｍの値を得ることができる。
【０１２１】
ステップ６０５では、端末は、ＰＤＳＣＨの時間領域制限位置よりも前でない位置から、ＰＤＳＣＨのバッファ又は受信を開始する。
【０１２２】
ＰＤＣＣＨのＳＣＳがＰＤＳＣＨのＳＣＳよりも小さい場合、ＰＤＳＣＨの時間領域位置は、ＰＤＳＣＨの時間領域制限位置よりも前でない。
【０１２３】
ＰＤＳＣＨの時間領域制限位置を決定した後、端末は、ＰＤＣＣＨをブラインド検出する時に、時間領域制限位置が指示する時間即ちＫ０＝Ｍからのみ、ＤＣＩを復調するまでデータバッファを行い、ＤＣＩが実際に指示する時間領域位置Ｋ０に基づいて、ＰＤＳＣＨを受信することができる。
【０１２４】
本開示の実施例に係るＰＤＳＣＨ時間領域リソース割り当て方法では、端末は、ＰＤＳＣＨの時間領域制限位置よりも前でない位置から、ＰＤＳＣＨのバッファ又は受信を開始し、ＰＤＣＣＨのＳＣＳがＰＤＳＣＨのＳＣＳよりも小さい場合、ＰＤＳＣＨの時間領域位置がＰＤＳＣＨの時間領域制限位置よりも前でなく、ＰＤＣＣＨの受信の開始時からデータバッファを開始するという関連技術と比較して、データバッファ量を低減し、エネルギー消費を低減することができる。
【０１２５】
図７は、本開示のいくつかの実施例に係るＰＤＳＣＨ時間領域リソース割り当て方法のステップフローチャートを示す。
【０１２６】
本開示の実施例では、ＰＤＣＣＨのＳＣＳの第１の設定値、ＰＤＳＣＨのＳＣＳの第２の設定値、参照ＯＦＤＭシンボル及びＰＤＣＣＨの時間領域の長さに基づいてＰＤＳＣＨの時間領域制限位置を決定する場合を例として説明する。本開示の実施例におけるＰＤＳＣＨ時間領域リソース割り当て方法は、以下のステップ７０１〜７０４を含む。
【０１２７】
ステップ７０１では、ＰＤＣＣＨのＳＣＳの第１の設定値とＰＤＳＣＨのＳＣＳの第２の設定値をそれぞれ決定する。
【０１２８】
ネットワーク装置は、無線リソース制御（Ｒａｄｉｏ  Ｒｅｓｏｕｒｃｅ  Ｃｏｎｔｒｏｌ、ＲＲＣ）により端末に２つのセルＡとＢを設定し、Ａはプライマリセル、即ちスケジューリングセルであり、Ｂはセカンダリセル、即ちスケジューリングされるセルであり、ＡはＢをクロスキャリアスケジューリングする。ネットワーク側には、セルＡのＢＷＰ上のＰＤＣＣＨが設定されている。ＡのＳＣＳはμＰＤＣＣＨ＝０（即ち１５ｋＨｚ）であり、ＢのＳＣＳはμＰＤＳＣＨ＝２（即ち６０ｋＨｚ）である。
【０１２９】
μＰＤＣＣＨは第１の設定値であり、μＰＤＳＣＨは第２の設定値である。
【０１３０】
ステップ７０２では、参照ＯＦＤＭシンボル及びＰＤＣＣＨの時間領域の長さを決定する。
【０１３１】
参照ＯＦＤＭシンボルはＰで表すことができ、時間領域の長さはＤで表すことができ、本開示の実施例では、Ｐ＝２、Ｄ＝３を例として説明する。Ｐが２に等しいことは、参照ＯＦＤＭシンボルが２番目のＯＦＤＭシンボルであることを意味する。
【０１３２】
ステップ７０３では、第１の設定値、第２の設定値、参照ＯＦＤＭシンボル及び時間領域の長さに基づいて、ＰＤＳＣＨの時間領域制限位置を決定する。
【０１３３】
本開示の実施例では、時間領域制限位置がＰＤＳＣＨの開始ＯＦＤＭシンボルへの制限である場合を例として説明する。
【０１３４】
具体的には、ＰＤＳＣＨの時間領域制限位置は、式４によって決定することができる。
【０１３５】
【数４】
2021523654.tif 000012
【０１３６】
ここで、式４におけるＴは時間領域制限位置であり、Ｋ０≧Ｔであり、第１の設定値、第２の設定値、ステップ７０２で決定されたＤ及びＰを式４に代入すると、Ｔの値を得ることができる。
【０１３７】
本開示の実施例では、上記パラメータに対応する値を式４に代入してＴ＝１０を得ることができるため、ＤＣＩが指示するＰＤＳＣＨの開始シンボル位置とＰＤＣＣＨの開始シンボル位置との間の間隔は、Ｔ個のＯＦＤＭシンボルよりも小さくならない。
【０１３８】
ステップ７０４では、端末は、ＰＤＳＣＨの時間領域制限位置よりも前でない位置から、ＰＤＳＣＨのバッファ又は受信を開始する。
【０１３９】
Ｔ＝１０の場合、端末は、ＰＤＣＣＨをブラインド検出する時に、ＰＤＣＣＨの開始位置以降の１０番目のシンボルからのみ、ＤＣＩを復調するまでデータバッファを行い、ＤＣＩの実際の指示に基づいて、ＰＤＳＣＨを受信することができる。
【０１４０】
本開示の実施例に係るＰＤＳＣＨ時間領域リソース割り当て方法では、端末は、ＰＤＳＣＨの時間領域制限位置よりも前でない位置から、ＰＤＳＣＨのバッファ又は受信を開始し、ＰＤＣＣＨのＳＣＳがＰＤＳＣＨのＳＣＳよりも小さい場合、ＰＤＳＣＨの時間領域位置がＰＤＳＣＨの時間領域制限位置よりも前でなく、ＰＤＣＣＨの受信の開始時からデータバッファを開始するという関連技術と比較して、データバッファ量を低減し、エネルギー消費を低減することができる。
【０１４１】
図８は、本開示のいくつかの実施例に係るＰＤＳＣＨ時間領域リソース割り当て方法のステップフローチャートを示す。
【０１４２】
本開示の実施例では、ＰＤＳＣＨの時間領域制限位置が第１の設定値、第２の設定値、ＰＤＣＣＨと各サブ単位時間境界との相対位置に関連する場合を例として説明する。ＰＤＳＣＨの時間領域制限位置と、第１の設定値、第２の設定値、ＰＤＣＣＨと各サブ単位時間境界との相対位置との関係は、プロトコルによって予め定義されるか、又はネットワーク装置によって設定されるか、又は端末によって決定される。ＰＤＣＣＨが位置する単位時間は、予め設定された数のサブ単位時間を含む。
【０１４３】
本開示の実施例におけるＰＤＳＣＨ時間領域リソース割り当て方法は、以下のステップ８０１〜８０４を含む。
【０１４４】
ステップ８０１では、ＰＤＣＣＨのＳＣＳがＰＤＳＣＨのＳＣＳよりも小さい場合、ＰＤＣＣＨのＳＣＳの第１の設定値とＰＤＳＣＨのＳＣＳの第２の設定値をそれぞれ決定する。
【０１４５】
ネットワーク装置は、無線リソース制御（Ｒａｄｉｏ  Ｒｅｓｏｕｒｃｅ  Ｃｏｎｔｒｏｌ、ＲＲＣ）により端末に２つのセルＡとＢを設定し、Ａはプライマリセル、即ちスケジューリングセルであり、Ｂはセカンダリセル、即ちスケジューリングされるセルであり、ＡはＢをクロスキャリアスケジューリングする。ネットワーク側には、セルＡのＢＷＰ上のＰＤＣＣＨが設定されている。ＡのＳＣＳはμＰＤＣＣＨ＝０であり、ＢのＳＣＳはμＰＤＳＣＨ＝２、μＰＤＣＣＨはμＰＤＳＣＨよりも小さい、即ちＰＤＣＣＨのＳＣＳはＰＤＳＣＨのＳＣＳよりも小さく、μＰＤＣＣＨは第１の設定値であり、μＰＤＳＣＨは第２の設定値である。
【０１４６】
ステップ８０２では、ＰＤＣＣＨが位置する単位時間を、予め設定された数のサブ単位時間に分割する。
【０１４７】
具体的な実現過程では、単位時間はｓｌｏｔであってよく、予め設定された数は４であってよい。もちろんこれに限定されず、予め設定された数は３又は５などに設定されてもよい。
【０１４８】
ＰＤＣＣＨのＳＣＳに基づいて、ＰＤＣＣＨが位置するｓｌｏｔを４つのｓｕｂ−ｓｌｏｔに分割し、ｓｕｂ−ｓｌｏｔ｛ｋ＝０、１、２、３｝の境界シンボル番号Ｓｋは順に０、４、７、１１である。ここで、ｓｕｂ−ｓｌｏｔはサブ単位時間である。
【０１４９】
ステップ８０３では、第１の設定値、第２の設定値及びＰＤＣＣＨと各サブ単位時間境界との相対位置に基づいて、ＰＤＳＣＨの時間領域制限位置を決定する。
【０１５０】
本開示の実施例では、時間領域制限位置がスロットオフセットＫ０への制限である場合を例として説明する。
【０１５１】
具体的な実現過程では、第１の設定値、第２の設定値及びＰＤＣＣＨと各サブ単位時間境界との相対位置に基づいて、ＰＤＳＣＨの時間領域制限位置を決定する具体的な方式は、以下のとおりである。
【０１５２】
まず、ＰＤＣＣＨの最後のシンボルの番号に基づいて、ＰＤＣＣＨが位置するｓｕｂ−ｓｌｏｔ  ｊを決定する。
【０１５３】
本開示の実施例では、ｊ＝１を例として説明し、ｊ＝１はＰＤＣＣＨが１番目のｓｕｂ−ｓｌｏｔにあることを意味する。
【０１５４】
次に、ＰＤＣＣＨが位置するｓｕｂ−ｓｌｏｔに基づいて、最も前のＰＤＳＣＨの開始シンボルオフセットＯを決定する。本開示の実施例では、Ｏ＝１を例として説明する。
【０１５５】
さらに、ｓｕｂ−ｓｌｏｔ  ｊ及びオフセットＯに基づいて、最も前のＰＤＳＣＨの開始シンボルＰを決定する。
ｋ＝（ｊ＋Ｏ）＝２、
Ｓｋ＝７、ここで、Ｓ２に対応する境界シンボルが７であるため、Ｓｋ＝７となる。
【０１５６】
【数５】
2021523654.tif 000013
【０１５７】
当該式５に基づいて、前のＰＤＳＣＨの開始シンボルＰ、即ち時間領域制限位置を決定し、Ｋ０≧Ｐである。
【０１５８】
μＰＤＣＣＨの第１の設定値、μＰＤＳＣＨの第２の設定値及びＳｋを上記式５に代入してＰ値を得る。
【０１５９】
ステップ８０４では、端末は、ＰＤＳＣＨの時間領域制限位置よりも前でない位置から、ＰＤＳＣＨのバッファ又は受信を開始する。
【０１６０】
ＰＤＣＣＨのＳＣＳがＰＤＳＣＨのＳＣＳよりも小さい場合、ＰＤＳＣＨの時間領域位置は、ＰＤＳＣＨの時間領域制限位置よりも前でない。
【０１６１】
ＰＤＳＣＨの時間領域制限位置を決定した後、端末は、ＰＤＣＣＨをブラインド検出する時に、時間領域制限位置が指示する時間即ちＫ０＝Ｐからのみ、ＤＣＩを復調するまでデータバッファを行い、ＤＣＩが実際に指示する時間領域位置Ｋ０に基づいて、ＰＤＳＣＨを受信することができる。
【０１６２】
本開示の実施例に係るＰＤＳＣＨスケジューリング方法では、端末は、ＰＤＳＣＨの時間領域制限位置よりも前でない位置から、ＰＤＳＣＨのバッファ又は受信を開始し、ＰＤＣＣＨのＳＣＳがＰＤＳＣＨのＳＣＳよりも小さい場合、ＰＤＳＣＨの時間領域位置がＰＤＳＣＨの時間領域制限位置よりも前でなく、ＰＤＣＣＨの受信の開始時からデータバッファを開始するという関連技術と比較して、データバッファ量を低減し、エネルギー消費を低減することができる。
【０１６３】
図９は、本開示のいくつかの実施例に係るＰＤＳＣＨ時間領域リソース割り当て端末の構造概略図を示す。
【０１６４】
本開示の実施例に係るＰＤＳＣＨ時間領域リソース割り当て端末１００は、ＰＤＳＣＨの時間領域制限位置よりも前でない位置から、前記ＰＤＳＣＨのバッファ又は受信を開始するためのプロセッサ１００１を含み、ＰＤＣＣＨのＳＣＳがＰＤＳＣＨのＳＣＳよりも小さい場合、前記ＰＤＳＣＨの時間領域位置が前記ＰＤＳＣＨの時間領域制限位置よりも前でない。
【０１６５】
好ましくは、前記ＰＤＳＣＨの時間領域制限位置は、前記ＰＤＣＣＨのＳＣＳの第１の設定値、前記ＰＤＳＣＨのＳＣＳの第２の設定値、前記ＰＤＣＣＨの処理時間、前記ＰＤＣＣＨの時間領域の長さ、前記ＰＤＣＣＨの開始シンボル位置、前記ＰＤＣＣＨの終了シンボル位置及び参照ＯＦＤＭシンボルのうちの１つ以上の因子に関連している。
【０１６６】
好ましくは、前記ＰＤＳＣＨの時間領域制限位置と、前記ＰＤＣＣＨのＳＣＳの第１の設定値、前記ＰＤＳＣＨのＳＣＳの第２の設定値、前記ＰＤＣＣＨの処理時間、前記ＰＤＣＣＨの時間領域の長さ、前記ＰＤＣＣＨの開始シンボル位置、前記ＰＤＣＣＨの終了シンボル位置及び参照ＯＦＤＭシンボルのうちの１つ以上の因子との間の関係は、プロトコルによって予め定義されるか、又はネットワーク装置によって設定されるか、又は前記端末によって決定される。
【０１６７】
好ましくは、前記ＰＤＳＣＨの時間領域制限位置は、前記第２の設定値及び前記第１の設定値に基づいて第１の中間値を決定し、システムにおいて予め設定された時間領域制限位置と前記第１の中間値との対応関係に基づいて、前記第１の中間値に対応する時間領域制限位置を前記ＰＤＳＣＨの時間領域制限位置として決定するという方式で決定される。
【０１６８】
好ましくは、前記ＰＤＳＣＨの時間領域制限位置は、前記第２の設定値及び前記第１の設定値に基づいて第２の中間値を決定し、端末によって報告された時間領域制限位置と前記第２の中間値との対応関係に基づいて、前記第２の中間値に対応する時間領域制限位置を前記ＰＤＳＣＨの時間領域制限位置として決定するという方式で決定される。
【０１６９】
好ましくは、前記ＰＤＳＣＨの時間領域制限位置は、システムにおいて予め設定されたか又は前記端末によって報告された設定値と処理時間との対応関係に基づいて、前記第１の設定値に対応する第１の処理時間を決定し、前記第１の設定値、前記第２の設定値及び前記第１の処理時間に基づいて、前記ＰＤＳＣＨの時間領域制限位置を決定するという方式で決定される。
【０１７０】
好ましくは、前記ＰＤＳＣＨの時間領域制限位置は、システムにおいて予め設定されたか又は前記端末によって報告された設定値と処理時間との対応関係に基づいて、前記第１の設定値に対応する第２の処理時間を決定し、前記第１の設定値、前記第２の設定値、前記第２の処理時間及び前記開始シンボル又は終了シンボルの位置に基づいて、前記ＰＤＳＣＨの時間領域制限位置を決定するという方式で決定される。
【０１７１】
好ましくは、前記ＰＤＳＣＨの時間領域制限位置は、システムにおいて予め設定されたか又は前記端末によって報告された設定値と処理時間との対応関係に基づいて、前記第１の設定値に対応する第３の処理時間を決定し、前記第１の設定値、前記第２の設定値、前記第３の処理時間及び前記ＰＤＣＣＨの時間領域の長さに基づいて、前記ＰＤＳＣＨの時間領域制限位置を決定するという方式で決定される。
【０１７２】
好ましくは、前記ＰＤＳＣＨの時間領域制限位置は、システムにおいて予め設定された時間領域制限位置である。
【０１７３】
好ましくは、前記ＰＤＳＣＨの時間領域制限位置は、前記ＰＤＣＣＨのＳＣＳの第１の設定値、前記ＰＤＳＣＨのＳＣＳの第２の設定値、前記ＰＤＣＣＨと各サブ単位時間境界との相対位置に関連している。前記ＰＤＣＣＨが位置する単位時間は、予め設定された数のサブ単位時間を含む。
【０１７４】
本開示の実施例に係るＰＤＳＣＨ時間領域リソース割り当て端末は、ＰＤＳＣＨの時間領域制限位置よりも前でない位置から、ＰＤＳＣＨのバッファ又は受信を開始し、ＰＤＣＣＨのＳＣＳがＰＤＳＣＨのＳＣＳよりも小さい場合、ＰＤＳＣＨの時間領域位置がＰＤＳＣＨの時間領域制限位置よりも前でなく、ＰＤＣＣＨの受信の開始時からデータバッファを開始するという関連技術と比較して、データバッファ量を低減し、エネルギー消費を低減することができる。
【０１７５】
図１０は、本開示のいくつかの実施例に係る端末の構造ブロック図を示す。
【０１７６】
図１０は、本開示の各実施例を実現する端末のハードウェア構造概略図であり、該端末９００は、無線周波数ユニット９０１、ネットワークモジュール９０２、オーディオ出力ユニット９０３、入力ユニット９０４、センサ９０５、表示ユニット９０６、ユーザ入力ユニット９０７、インタフェースユニット９０８、メモリ９０９、プロセッサ９１０及び電源９１１などの部品を含むが、これらに限定されない。図１０に示す端末構造は、端末を限定するものではなく、端末は、図示より多い又は少ない部品を含んでもよく、ある部品を組み合わせたり、異なる部品配置を有したりしてもよいことは、当業者には理解されるところである。本開示の実施例では、端末は、ハンドセット、タブレットコンピュータ、ノートパソコン、パームトップコンピュータ、車載端末、ウェアラブルデバイス及び歩数計などを含むが、これらに限定されない。
【０１７７】
プロセッサ９１０は、ＰＤＳＣＨの時間領域制限位置よりも前でない位置から、前記ＰＤＳＣＨのバッファ又は受信を開始するためのものであり、ＰＤＣＣＨのＳＣＳがＰＤＳＣＨのＳＣＳよりも小さい場合、前記ＰＤＳＣＨの時間領域位置が前記ＰＤＳＣＨの時間領域制限位置よりも前でない。
【０１７８】
好ましくは、前記ＰＤＳＣＨの時間領域制限位置は、前記ＰＤＣＣＨのＳＣＳの第１の設定値、前記ＰＤＳＣＨのＳＣＳの第２の設定値、前記ＰＤＣＣＨの処理時間、前記ＰＤＣＣＨの時間領域の長さ、前記ＰＤＣＣＨの開始シンボル位置、前記ＰＤＣＣＨの終了シンボル位置及び参照ＯＦＤＭシンボルのうちの１つ以上の因子に関連している。
【０１７９】
好ましくは、前記ＰＤＳＣＨの時間領域制限位置と、前記ＰＤＣＣＨのＳＣＳの第１の設定値、前記ＰＤＳＣＨのＳＣＳの第２の設定値、前記ＰＤＣＣＨの処理時間、前記ＰＤＣＣＨの時間領域の長さ、前記ＰＤＣＣＨの開始シンボル位置、前記ＰＤＣＣＨの終了シンボル位置及び参照ＯＦＤＭシンボルのうちの１つ以上の因子との間の関係は、プロトコルによって予め定義されるか、又はネットワーク装置によって設定されるか、又は前記端末によって決定される。
【０１８０】
好ましくは、前記ＰＤＳＣＨの時間領域制限位置は、前記第２の設定値及び前記第１の設定値に基づいて第１の中間値を決定し、システムにおいて予め設定された時間領域制限位置と前記第１の中間値との対応関係に基づいて、前記第１の中間値に対応する時間領域制限位置を前記ＰＤＳＣＨの時間領域制限位置として決定するという方式で決定される。
【０１８１】
好ましくは、前記ＰＤＳＣＨの時間領域制限位置は、前記第２の設定値及び前記第１の設定値に基づいて第２の中間値を決定し、前記端末によって報告された時間領域制限位置と前記第２の中間値との対応関係に基づいて、前記第２の中間値に対応する時間領域制限位置を前記ＰＤＳＣＨの時間領域制限位置として決定するという方式で決定される。
【０１８２】
好ましくは、前記ＰＤＳＣＨの時間領域制限位置は、システムにおいて予め設定されたか又は前記端末によって報告された設定値と処理時間との対応関係に基づいて、前記第１の設定値に対応する第１の処理時間を決定し、前記第１の設定値、前記第２の設定値及び前記第１の処理時間に基づいて、前記ＰＤＳＣＨの時間領域制限位置を決定するという方式で決定される。
【０１８３】
好ましくは、前記ＰＤＳＣＨの時間領域制限位置は、システムにおいて予め設定されたか又は前記端末によって報告された設定値と処理時間との対応関係に基づいて、前記第１の設定値に対応する第２の処理時間を決定し、前記第１の設定値、前記第２の設定値、前記第２の処理時間及び前記開始シンボル又は終了シンボルの位置に基づいて、前記ＰＤＳＣＨの時間領域制限位置を決定するという方式で決定される。
【０１８４】
好ましくは、前記ＰＤＳＣＨの時間領域制限位置は、システムにおいて予め設定されたか又は前記端末によって報告された設定値と処理時間との対応関係に基づいて、前記第１の設定値に対応する第３の処理時間を決定し、前記第１の設定値、前記第２の設定値、前記第３の処理時間及び前記ＰＤＣＣＨの時間領域の長さに基づいて、前記ＰＤＳＣＨの時間領域制限位置を決定するという方式で決定される。
【０１８５】
好ましくは、前記ＰＤＳＣＨの時間領域制限位置は、システムにおいて予め設定された時間領域制限位置である。
【０１８６】
好ましくは、前記ＰＤＳＣＨの時間領域制限位置は、前記ＰＤＣＣＨのＳＣＳの第１の設定値、前記ＰＤＳＣＨのＳＣＳの第２の設定値、前記ＰＤＣＣＨと各サブ単位時間境界との相対位置に関連している。前記ＰＤＣＣＨが位置する単位時間は、予め設定された数のサブ単位時間を含む。
【０１８７】
本開示の実施例に係る端末は、ＰＤＳＣＨの時間領域制限位置よりも前でない位置から、ＰＤＳＣＨのバッファ又は受信を開始し、ＰＤＣＣＨのＳＣＳがＰＤＳＣＨのＳＣＳよりも小さい場合、ＰＤＳＣＨの時間領域位置がＰＤＳＣＨの時間領域制限位置よりも前でなく、ＰＤＣＣＨの受信の開始時からデータバッファを開始するという関連技術と比較して、データバッファ量を低減し、エネルギー消費を低減することができる。
【０１８８】
なお、本開示の実施例では、無線周波数ユニット９０１は、情報の送受信中又は通話中の信号の送受信に用いられてよく、具体的には、基地局からのダウンリンクデータを受信した後、プロセッサ９１０に処理させ、また、アップリンクデータを基地局に送信する。一般的に、無線周波数ユニット９０１は、アンテナ、少なくとも１つの増幅器、送受信機、カプラ、低雑音増幅器、デュプレクサなどを含むが、これらに限定されない。また、無線周波数ユニット９０１は、さらに無線通信システムによりネットワーク及び他の装置と通信することができる。
【０１８９】
端末は、ネットワークモジュール９０２によりユーザに無線のブロードバンドインターネットアクセスを提供して、例えば、ユーザの電子メールの送受信、ウェブの閲覧及びストリーミングメディアのアクセスなどを支援する。
【０１９０】
オーディオ出力ユニット９０３は、無線周波数ユニット９０１又はネットワークモジュール９０２によって受信されるか、又はメモリ９０９に記憶されるオーディオデータをオーディオ信号に変換して音声として出力することができる。そして、オーディオ出力ユニット９０３は、端末９００によって実行される特定の機能に関連するオーディオ出力（例えば、呼出音、メッセージ着信音など）をさらに提供することもできる。オーディオ出力ユニット９０３は、スピーカー、ブザー及びレシーバーなどを含む。
【０１９１】
入力ユニット９０４は、オーディオ又はビデオ信号を受信する。入力ユニット９０４は、グラフィック処理ユニット（Ｇｒａｐｈｉｃｓ  Ｐｒｏｃｅｓｓｉｎｇ  Ｕｎｉｔ、ＧＰＵ）９０４１及びマイクロフォン９０４２を含んでよく、グラフィック処理ユニット９０４１は、ビデオ撮影モード又は画像撮影モードで画像撮影装置（例えば、カメラ）によって取得された静止画像又はビデオの画像データを処理する。処理後の画像フレームは、表示ユニット９０６に表示されてもよい。グラフィック処理ユニット９０４１によって処理された画像フレームは、メモリ９０９（又は他の記憶媒体）に記憶されてもよく、無線周波数ユニット９０１又はネットワークモジュール９０２によって送信されてもよい。マイクロフォン９０４２は、音声を受信し、かつこのような音声をオーディオデータに処理することができる。処理後のオーディオデータは、電話通話モードで、無線周波数ユニット９０１によって移動通信基地局に送信可能なフォーマットに変換されて出力することができる。
【０１９２】
端末９００は、光センサ、動きセンサ及び他のセンサなどの少なくとも１種のセンサ９０５をさらに含む。具体的には、光センサは、環境光線の明るさに応じて表示パネル９０６１の輝度を調節することができる環境光センサと、端末９００が耳元に移動するときに、表示パネル９０６１及び／又はバックライトをオフにすることができる近接センサとを含む。動きセンサの１種として、加速センサは、各方向（一般に３軸）の加速度の大きさを検出でき、静止時に重力の大きさ及び方向を検出でき、端末姿勢の識別（例えば、縦向きと横向きの切替、ゲーム関連、磁力計の姿勢較正）、振動識別に関連する機能（例えば、歩数計、タッピング）などに用いることができる。センサ９０５は、指紋センサ、圧力センサ、虹彩センサ、分子センサ、ジャイロスコープ、気圧計、湿度計、温度計、赤外線センサなどをさらに含んでよく、ここでは説明を省略する。
【０１９３】
表示ユニット９０６は、ユーザによって入力された情報又はユーザに提供された情報を表示する。表示ユニット９０６は、表示パネル９０６１を含んでもよく、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形式で表示パネル９０６１を構成することができる。
【０１９４】
ユーザ入力ユニット９０７は、入力された数字又は文字情報を受信すると共に、端末のユーザ設定及び機能制御に関連するキー信号入力を生成することができる。具体的には、ユーザ入力ユニット９０７は、タッチパネル９０７１及び他の入力装置９０７２を含む。タッチパネル９０７１は、タッチスクリーンとも呼ばれ、その上又はその近くでのユーザのタッチ操作（例えば、指、スタイラスペンなどの任意の適切な物体又は付属品を用いるタッチパネル９０７１上又はタッチパネル９０７１の近くでのユーザの操作）を収集することができる。タッチパネル９０７１は、タッチ検出装置及びタッチコントローラの２つの部品を含んでよい。タッチ検出装置は、ユーザのタッチ方向を検出し、タッチ操作による信号を検出し、信号をタッチコントローラに伝送し、タッチコントローラは、タッチ検出装置からタッチ情報を受信し、タッチポイント座標に変換して、プロセッサ９１０に送信し、プロセッサ９１０から送信されたコマンドを受信し、実行する。また、抵抗式、容量式、赤外線式及び表面弾性波式などの複数のタイプでタッチパネル９０７１を実現することができる。タッチパネル９０７１に加えて、ユーザ入力ユニット９０７は、他の入力装置９０７２をさらに含んでもよい。具体的には、他の入力装置９０７２は、物理キーボード、機能キー（例えば、ボリューム調節キー、スイッチキーなど）、トラックボール、マウス及び操作レバーを含むが、これらに限定されず、ここでは説明を省略する。
【０１９５】
さらに、タッチパネル９０７１は、表示パネル９０６１をカバーすることができ、タッチパネル９０７１がその上又はその近くでのタッチ操作を検出した後、プロセッサ９１０に伝送してタッチイベントのタイプを決定し、その後に、プロセッサ９１０は、タッチイベントのタイプに応じて対応する視覚的出力を表示パネル９０６１に提供する。図１０では、タッチパネル９０７１と表示パネル９０６１は、２つの独立した部品として端末の入出力機能を実現するが、いくつかの実施例では、タッチパネル９０７１と表示パネル９０６１を一体化して端末の入出力機能を実現することができ、ここでは具体的に限定しない。
【０１９６】
インタフェースユニット９０８は、外部装置と端末９００を接続するインタフェースである。例えば、外部装置は、有線又は無線ヘッドフォンポート、外部電源（又は電池充電器）ポート、有線又は無線データポート、メモリカードポート、識別モジュールを備えた装置との接続用ポート、オーディオ入力／出力（Ｉ／Ｏ）ポート、ビデオＩ／Ｏポート、ヘッドフォンポートなどを含んでよい。インタフェースユニット９０８は、外部装置からの入力（例えば、データ情報、電力など）を受信すると共に、受信した入力を端末９００内の１つ以上の素子に伝送するか又は端末９００と外部装置の間にデータを伝送することができる。
【０１９７】
メモリ９０９は、ソフトウェアプログラム及び様々なデータを記憶することができる。メモリ９０９は、主に、オペレーティングシステム、少なくとも１つの機能（例えば、音声再生機能、画像再生機能など）に必要なアプリケーションプログラムなどを記憶することができるプログラム記憶領域と、ハンドセットの使用に応じて作成されたデータ（例えば、オーディオデータ、電話帳など）などを記憶することができるデータ記憶領域とを含んでよい。また、メモリ９０９は、高速ランダムアクセスメモリを含んでもよく、少なくとも１つの磁気ディスクメモリ素子、フラッシュメモリ素子などの不揮発性メモリ又は他の揮発性固体メモリ素子を含んでもよい。
【０１９８】
プロセッサ９１０は、端末の制御センターであり、様々なインタフェースと回線により端末全体の各部分に接続され、メモリ９０９に記憶されているソフトウェアプログラム及び／又はモジュールを動作させるか又は実行し、メモリ９０９に記憶されたデータを呼び出すことにより、端末の様々な機能とデータ処理を実行して、端末全体を監視する。プロセッサ９１０は、１つ以上の処理ユニットを含んでよく、好ましくは、プロセッサ９１０は、主にオペレーティングシステム、ユーザインタフェース及びアプリケーションプログラムなどを処理するアプリケーションプロセッサと、主に無線通信を処理するモデムプロセッサとを集積することができる。上記モデムプロセッサは、プロセッサ９１０に集積されなくてもよいことを理解されたい。
【０１９９】
端末９００は、各部品に給電する電源９１１（例えば、電池）をさらに含んでよく、好ましくは、電源９１１は、電源管理システムによりプロセッサ９１０と論理的に接続されて、電源管理システムにより充電、放電の管理及び消費電力の管理などの機能を実現することができる。
【０２００】
また、端末９００は、いくつかの未図示の機能モジュールを含み、ここでは説明を省略する。
【０２０１】
好ましくは、本開示の実施例は、プロセッサ９１０と、メモリ９０９と、メモリ９０９上に記憶されて前記プロセッサ９１０上で実行可能で、プロセッサ９１０によって実行されると、上記ＰＤＳＣＨ時間領域リソース割り当て方法の実施例の各プロセスを実現し、かつ同じ技術的効果を達成することができるコンピュータプログラムとを含む、端末をさらに提供し、重複を避けるため、ここでは説明を省略する。
【０２０２】
本開示の実施例は、プロセッサによって実行されると、上記ＰＤＳＣＨ時間領域リソース割り当て方法の実施例の各プロセスを実現し、かつ同じ技術的効果を達成することができるコンピュータプログラムが記憶されているコンピュータ読み取り可能な記憶媒体をさらに提供し、重複を避けるため、ここでは説明を省略する。前記コンピュータ読み取り可能な記憶媒体は、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスクなどであってよい。
【０２０３】
なお、本明細書において、用語「含む」、「備える」及びそれらの任意の変形は、非排他的に含むことをカバーするものであり、一連の要素を含むプロセス、方法、物品又は装置は、それらの要素を含むだけでなく、明確に例示されていない他の要素も含むか、又はこれらのプロセス、方法、物品又は装置に固有の要素も含む。それ以上の限定がない場合に、語句「１つ．．．を含む」により限定された要素は、該要素を含むプロセス、方法、物品又は装置に、別の同じ要素がさらに存在することを排除するものではない。
【０２０４】
以上の実施形態の説明により、当業者が明確に理解できるように、上記実施例の方法は、ソフトウェアと必要な汎用ハードウェアプラットフォームを併用した方法で実現でき、当然のことながら、ハードウェアでも実現できるが、多くの場合に前者がより好ましい実施形態である。このような理解に基づいて、本開示の技術手段は、本質的又は関連技術に寄与する部分が、ソフトウェア製品の形態で具現化されてよく、該コンピュータソフトウェア製品は、記憶媒体（例えば、ＲＯＭ／ＲＡＭ、磁気ディスク、光ディスク）に記憶され、一台の端末（ハンドセット、コンピュータ、サーバ、エアコン又はネットワーク装置などであってもよい）に本開示の各実施例に記載の方法を実行させるための複数の命令を含む。
【０２０５】
以上で図面を参照しながら本開示の実施例を説明したが、本開示は、上記具体的な実施形態に限定されるものではなく、上記具体的な実施形態は、制限的なものではなく、例示的なものに過ぎず、当業者であれば、本開示の示唆で、本開示の趣旨及び特許請求の範囲の保護範囲から逸脱することなく、さらに種々の態様を実行することができ、これらはいずれも本開示の保護範囲内に属する。  
【符号の説明】
【０２０６】
１００  端末
１００１  プロセッサ
９００  端末
９０１  無線周波数ユニット
９０２  ネットワークモジュール
９０３  オーディオ出力ユニット
９０４  入力ユニット
９０４１  グラフィック処理ユニット
９０４２  マイクロフォン
９０５  センサ
９０６  表示ユニット
９０６１  表示パネル
９０７  ユーザ入力ユニット
９０７１  タッチパネル
９０７２  入力装置
９０８  インタフェースユニット
９０９  メモリ
９１０  プロセッサ
９１１  電源
【図１】
2021523654.tif 000014
【図２】
2021523654.tif 000015
【図３】
2021523654.tif 000016
【図４】
2021523654.tif 000017
【図５】
2021523654.tif 000018
【図６】
2021523654.tif 000019
【図７】
2021523654.tif 000020
【図８】
2021523654.tif 000021
【図９】
2021523654.tif 000022
【図１０】
2021523654.tif 000023
【手続補正書】
【提出日】令和3年1月6日(2021.1.6)
【手続補正１】
【補正対象書類名】特許請求の範囲
【補正対象項目名】全文
【補正方法】変更
【補正の内容】
【特許請求の範囲】
【請求項１】
端末に適用されるＰＤＳＣＨ時間領域リソース割り当て方法であって、
前記端末がＰＤＳＣＨの時間領域制限位置よりも前でない位置から、前記ＰＤＳＣＨのバッファ又は受信を開始することを含み、ＰＤＣＣＨのＳＣＳが前記ＰＤＳＣＨのＳＣＳよりも小さい場合、前記ＰＤＳＣＨの時間領域位置が前記ＰＤＳＣＨの時間領域制限位置よりも前でない、ＰＤＳＣＨ時間領域リソース割り当て方法。
【請求項２】
前記ＰＤＳＣＨの時間領域制限位置は、前記ＰＤＣＣＨのＳＣＳの第１の設定値、前記ＰＤＳＣＨのＳＣＳの第２の設定値、前記ＰＤＣＣＨの処理時間、前記ＰＤＣＣＨの時間領域の長さ、前記ＰＤＣＣＨの開始シンボル位置、前記ＰＤＣＣＨの終了シンボル位置及び参照ＯＦＤＭシンボルのうちの１つ以上の因子に関連している、請求項１に記載の方法。
【請求項３】
前記ＰＤＳＣＨの時間領域制限位置と、前記ＰＤＣＣＨのＳＣＳの第１の設定値、前記ＰＤＳＣＨのＳＣＳの第２の設定値、前記ＰＤＣＣＨの処理時間、前記ＰＤＣＣＨの時間領域の長さ、前記ＰＤＣＣＨの開始シンボル位置、前記ＰＤＣＣＨの終了シンボル位置及び参照ＯＦＤＭシンボルのうちの１つ以上の因子との間の関係は、プロトコルによって予め定義されるか、又はネットワーク装置によって設定されるか、又は前記端末によって決定される、請求項２に記載の方法。
【請求項４】
前記ＰＤＳＣＨの時間領域制限位置は、システムにおいて予め設定された時間領域制限位置である、請求項１に記載の方法。
【請求項５】
前記ＰＤＳＣＨの時間領域制限位置は、前記ＰＤＣＣＨのＳＣＳの第１の設定値、前記ＰＤＳＣＨのＳＣＳの第２の設定値、前記ＰＤＣＣＨと各サブ単位時間境界との相対位置に関連し、前記ＰＤＣＣＨが位置する単位時間は、予め設定された数のサブ単位時間を含む、請求項１に記載の方法。
【請求項６】
ＰＤＳＣＨの時間領域制限位置よりも前でない位置から、前記ＰＤＳＣＨのバッファ又は受信を開始するためのプロセッサを含み、ＰＤＣＣＨのＳＣＳが前記ＰＤＳＣＨのＳＣＳよりも小さい場合、前記ＰＤＳＣＨの時間領域位置が前記ＰＤＳＣＨの時間領域制限位置よりも前でない、ＰＤＳＣＨ時間領域リソース割り当て端末。
【請求項７】
前記ＰＤＳＣＨの時間領域制限位置は、前記ＰＤＣＣＨのＳＣＳの第１の設定値、前記ＰＤＳＣＨのＳＣＳの第２の設定値、前記ＰＤＣＣＨの処理時間、前記ＰＤＣＣＨの時間領域の長さ、前記ＰＤＣＣＨの開始シンボル位置、前記ＰＤＣＣＨの終了シンボル位置及び参照ＯＦＤＭシンボルのうちの１つ以上の因子に関連している、請求項６に記載の端末。
【請求項８】
前記ＰＤＳＣＨの時間領域制限位置と、前記ＰＤＣＣＨのＳＣＳの第１の設定値、前記ＰＤＳＣＨのＳＣＳの第２の設定値、前記ＰＤＣＣＨの処理時間、前記ＰＤＣＣＨの時間領域の長さ、前記ＰＤＣＣＨの開始シンボル位置、前記ＰＤＣＣＨの終了シンボル位置及び参照ＯＦＤＭシンボルのうちの１つ以上の因子との間の関係は、プロトコルによって予め定義されるか、又はネットワーク装置によって設定されるか、又は前記端末によって決定される、請求項６に記載の端末。
【請求項９】
前記ＰＤＳＣＨの時間領域制限位置は、
前記第２の設定値及び前記第１の設定値に基づいて第１の中間値を決定し、
システムにおいて予め設定された時間領域制限位置と前記第１の中間値との対応関係に基づいて、前記第１の中間値に対応する時間領域制限位置を前記ＰＤＳＣＨの時間領域制限位置として決定するという方式で決定される、請求項８に記載の端末。
【請求項１０】
前記ＰＤＳＣＨの時間領域制限位置は、
前記第２の設定値及び前記第１の設定値に基づいて第２の中間値を決定し、
前記端末によって報告された時間領域制限位置と前記第２の中間値との対応関係に基づいて、前記第２の中間値に対応する時間領域制限位置を前記ＰＤＳＣＨの時間領域制限位置として決定するという方式で決定される、請求項８に記載の端末。
【請求項１１】
前記ＰＤＳＣＨの時間領域制限位置は、
システムにおいて予め設定されたか又は前記端末によって報告された設定値と処理時間との対応関係に基づいて、前記第１の設定値に対応する第１の処理時間を決定し、
前記第１の設定値、前記第２の設定値及び前記第１の処理時間に基づいて、前記ＰＤＳＣＨの時間領域制限位置を決定するという方式で決定される、請求項８に記載の端末。
【請求項１２】
前記ＰＤＳＣＨの時間領域制限位置は、
システムにおいて予め設定されたか又は前記端末によって報告された設定値と処理時間との対応関係に基づいて、前記第１の設定値に対応する第２の処理時間を決定し、
前記第１の設定値、前記第２の設定値、前記第２の処理時間及び前記開始シンボル位置又は終了シンボル位置に基づいて、前記ＰＤＳＣＨの時間領域制限位置を決定するという方式で決定される、請求項８に記載の端末。
【請求項１３】
前記ＰＤＳＣＨの時間領域制限位置は、
システムにおいて予め設定されたか又は前記端末によって報告された設定値と処理時間との対応関係に基づいて、前記第１の設定値に対応する第３の処理時間を決定し、
前記第１の設定値、前記第２の設定値、前記第３の処理時間及び前記ＰＤＣＣＨの時間領域の長さに基づいて、前記ＰＤＳＣＨの時間領域制限位置を決定するという方式で決定される、請求項８に記載の端末。
【請求項１４】
前記ＰＤＳＣＨの時間領域制限位置は、システムにおいて予め設定された時間領域制限位置である、請求項６に記載の端末。
【請求項１５】
前記ＰＤＳＣＨの時間領域制限位置は、前記ＰＤＣＣＨのＳＣＳの第１の設定値、前記ＰＤＳＣＨのＳＣＳの第２の設定値、前記ＰＤＣＣＨと各サブ単位時間境界との相対位置に関連し、前記ＰＤＣＣＨが位置する単位時間は、予め設定された数のサブ単位時間を含む、請求項６に記載の端末。
【国際調査報告】
2021523654.tif 000024
2021523654.tif 000025
2021523654.tif 000026
2021523654.tif 000027